(57)【要約】【課題】ガラス破壊を検知し報知するだけではなく、その抑止効果も期待できるガラス破壊検出器を提供する。【解決手段】ガラス破壊動作によってガラスに生ずる振動を検知する検知手段１１と、検知手段１１によって振動を検知したことを報知する報知手段１４，１５と、検知手段１１が振動を検知したときには、報知手段を作動させる制御手段１０，１３とを備えるガラス破壊検出器１において、制御手段１０，１３は、予報を報知すべき予報用しきい値と、この予報用しきい値よりも大きく、本報を報知すべき本報用しきい値とを予め登録しており、検知手段１１によって検知した振動レベルが予報用しきい値以上のときには、報知手段１４，１５より予報を報知させ、本報用しきい値以上のときには、報知手段１４，１５より本報を報知させる構成とした。【選択図】図１
2004199572.tif 000002
【特許請求の範囲】
【請求項１】
ガラス破壊動作によってガラスに生ずる振動を検知する検知手段と、上記検知手段によって振動を検知したことを報知する報知手段と、上記検知手段が振動を検知したときには、上記報知手段を作動させる制御手段とを備えるガラス破壊検出器において、
上記制御手段は、予報を報知すべき予報用しきい値と、この予報用しきい値よりも大きく、本報を報知すべき本報用しきい値とを予め登録しており、上記検知手段によって検知した振動レベルが上記予報用しきい値以上のときには、上記報知手段より予報を報知させ、上記本報用しきい値以上のときには、上記報知手段より本報を報知させる構成としたガラス破壊検出器。
【請求項２】
請求項１において、
上記予報は、光出力によってなされることを特徴とするガラス破壊検出器。
【請求項３】
請求項１または２において、
上記予報は、光出力と、本報時とは異なる種類の音出力とによってなされることを特徴とするガラス破壊検出器。
【請求項４】
請求項２または３おいて、
上記報知手段は、発光ダイオードと、この発光ダイオードによる光を、少なくとも２方向に分ける分配手段と、この分配手段によって分配された光を透過させる少なくとも２つの透過窓とを含む構成としたガラス破壊検出器。
【請求項５】
請求項４において、
上記透過窓は、上記ガラス破壊検出器の屋内側、屋外側の双方に設けているガラス破壊検出器。
【発明の詳細な説明】
【０００１】
【発明の属する技術分野】
本発明は、家屋などのガラス内面に取着され、ガラス破壊を検知して報知するガラス破壊検出器の改良に関する。
【０００２】
【従来の技術】
従来より、下記特許文献１のような、ガラス内面に取着され、ガラス破壊を検知して報知するガラス破壊検出器があり、ガラス破壊によるガラスの振動を検出すると、音や光で住居人に警告したり、侵入者を威嚇して、防犯効果を高めている。
【０００３】
【特許文献１】
特開２０００−４８２６８号公報
【０００４】
【発明が解決しようとする課題】
ところが、上記した従来のガラス破壊検出器では、ガラス破壊を検知することはできるが、それを抑止する機能は持たなかった。本発明は、ガラス破壊を検知し報知するだけではなく、その抑止効果も期待できるガラス破壊検出器を提供することを目的としている。
【０００５】
【課題を解決するための手段】
上記目的を達成するために、本発明の請求項１では、ガラス破壊動作によってガラスに生ずる振動を検知する検知手段と、検知手段によって振動を検知したことを報知する報知手段と、検知手段が振動を検知したときには、報知手段を作動させる制御手段とを備えるガラス破壊検出器において、制御手段は、予報を報知すべき予報用しきい値と、この予報用しきい値よりも大きく、本報を報知すべき本報用しきい値とを予め登録しており、検知手段によって検知した振動レベルが予報用しきい値以上のときには、報知手段より予報を報知させ、本報用しきい値以上のときには、報知手段より本報を報知させる構成とした。
【０００６】
請求項２では、予報は、光出力によってなされることを特徴とする。
【０００７】
請求項３では、予報は、光出力と、本報時とは異なる種類の音出力とによってなされることを特徴とする。
【０００８】
請求項４では、報知手段は、発光ダイオードと、この発光ダイオードによる光を、少なくとも２方向に分ける分配手段と、この分配手段によって分配された光を透過させる少なくとも２つの透過窓とを含む構成とした。
【０００９】
請求項５では、透過窓は、ガラス破壊検出器の屋内側、屋外側の双方に設けている。
【００１０】
【発明の実施の形態】
以下に、本発明の実施の形態について、図面とともに説明する。図１は、本発明に係るガラス破壊検出器の外観図であり、（ａ）が屋内側から見た図、（ｂ）が側面図、（ｃ）が屋外側から見た図である。
【００１１】
また、図２は、ガラス破壊検出器の設置態様図であり、（ａ）が屋内側から見た図、（ｂ）が側面から見た図であり、ガラス破壊検出器１は、ガラスＧの屋内面に取り付けて使用される。
【００１２】
このガラス破壊検出器１は、図１に示すように、屋内側の面には、スピーカＳＰと光透過窓Ｗ１とを備える。一方の屋外側の面には、光透過窓Ｗ２を備える。
【００１３】
図３は、ガラス破壊検出器１の内部構成例を示すブロック図である。このガラス破壊検出器１は、ＣＰＵなどで構成され、このガラス破壊検出器１の制御をするマイコン１０と、ガラスＧに生じる振動を電気信号に変換する圧電素子１１と、圧電素子１１からの電気信号のうち、ガラスをたたくときにしか生じ得ない高周波の電気信号のみを通過させるハイパスフィルタ１２と、予報用検波回路として構成され、予報しきい値を登録した検波回路１３Ａと、本報用検波回路として構成され、本報しきい値を登録した検波回路１３Ｂと、スピーカＳＰを含む警報音出力回路１４と、光透過窓Ｗ１，Ｗ２を含む発光回路１５とを備える。
【００１４】
なお、このガラス破壊検出器１では、マイコン１０と検波回路１３Ａ，１３Ｂとで制御手段を、圧電素子１１で検出手段を、警報音出力回路１４と発光回路１５とで報知手段を構成している。
【００１５】
検波回路１３Ａ，１３Ｂのそれぞれは、ハイパスフィルタ１２を通じて入力された電気信号の振動レベル、ここでは振幅を、予報しきい値、本報しきい値とで比較し、それぞれのしきい値以上となれば、予報、本報それぞれに応じて異なる振幅のパルス信号をマイコン１０に出力する。
【００１６】
なお、検波回路１３Ａ、１３Ｂでは、ここでは、検波回路１３Ａに予報用しきい値を、検波回路１３Ｂに本報用しきい値をそれぞれ登録しているが、これには限られず、検波回路１３Ａに本報用しきい値を、検波回路１３Ｂに予報用しきい値をそれぞれ登録してもよい。
【００１７】
警報音出力回路１４は、予報、本報それぞれのために、互いに異なる種類の音を登録している。予報用としては「ピッピッ」、本報用としては「ピーピー」などである。
【００１８】
このような構成の動作を、図４のガラス窓振動波形、図５のタイムチャートとともに説明する。
【００１９】
ガラスＧは、破壊されると図４（ａ）のような振動波が発生する一方、破壊される予備動作として軽く「コンコン」と叩く動作によっては、図４（ｂ）のような振動波が発生する。これを圧電素子１１が検出して、ハイパスフィルタ１２を通過して、検波回路１３Ａと検波回路１３Ｂとのそれぞれに入力される。
【００２０】
予報用検波回路としての検波回路１３Ａは、ハイパスフィルタ１２からの電気信号の波形を調べ、予め登録した予報用しきい値以上のときには、一定レベルのパルス信号Ｐ１をマイコン１０に送出する。
【００２１】
一方、本報用検波回路としての検波回路１３Ｂは、ハイパスフィルタ１２からの電気信号の波形を調べ、予め登録した本報用しきい値以上のときには、パルス信号Ｐ２よりも大きな振幅であるパルス信号Ｐ２をマイコン１０に送出する。
マイコン１０は、パルス信号Ｐ１とパルス信号Ｐ２の違いは、これらの振幅で判断し、パルス信号Ｐ１が入力されたら予報処理をする一方、パルス信号Ｐ２が入力されたら本報処理をする。
【００２２】
以下、マイコン１０による予報、本報処理それぞれについて説明する。予報処理は、図５のタイムチャート（ｂ）に示しており、ガラス破壊には至らないがその予備動作を圧電素子１１が検出すると、マイコン１０にはパルス信号Ｐ１が入力され、マイコン１０により発光回路１５を制御して発光させる。
また、予報処理は、発光回路１５によってのみ行うだけではなく、警報音出力回路１４を制御して、予報用の警告音を発光と合わせて出力してもよい。
【００２３】
一方の本報処理は、図５のタイムチャート（ａ）に示しており、ガラス破壊動作を圧電素子１１が検出すると、マイコン１０にはパルス信号Ｐ２が入力され、マイコン１０により警報音出力回路１４と、発光回路１５とを制御して、本報用の警告音と光による報知をする。
【００２４】
発光回路１５の要部は、図６に示すような構成をしており、マイコン１０により発光ダイオードＬＥＤを発光させ、この光をプリズムＰ（分配手段を構成）のミラーＭ１，Ｍ２で、入射方向に直交する２方向に分配させ、それぞれの光を光透過窓Ｗ１，Ｗ２より透過させる。
【００２５】
なお、発光回路１５では、１つの発光ダイオードからの光を２方向に分配させてそれぞれの光透過窓Ｗ１，Ｗ２より透過させてはいるが、２つの発光ダイオードを光透過窓Ｗ１，Ｗ２のそれぞれに対応して設けていてもよい。
【００２６】
【発明の効果】
以上の説明からも理解できるように、本発明の請求項１、２では、検知手段によって検知した振動レベルが予報用しきい値以上のときには、報知手段より予報を報知させ、本報用しきい値以上のときには、報知手段より本報を報知させるので、ガラス破壊には至らない叩きが予備動作として侵入者によりなされた場合でも、侵入者に予報により警告や威嚇を与え、家人には警告を与えることができ、防犯効果が更に高まる。
【００２７】
請求項３では、予報は、光出力と、本報時とは異なる種類の音出力とによってなされるので、光が見えない場所にいる家人に対し、音により注意を喚起させることができる。
【００２８】
請求項４では、報知手段は、発光ダイオードと、この発光ダイオードによる光を、少なくとも２方向に分ける分配手段と、この分配手段によって分配された光を透過させる少なくとも２つの透過窓とを含む構成としたので、１つの発光ダイオードで少なくとも２方向へ発光出力でき、部品点数の削減ができる。
【００２９】
請求項５では、透過窓は、ガラス破壊検出器の屋内側、屋外側の双方に設けているので、光出力を、屋内、屋外双方に対して行え、侵入者に対しては警告や威嚇を、家人に対しては注意喚起をすることができる。
【図面の簡単な説明】
【図１】本発明の外観例を示す図である。
【図２】本発明の設置態様例を示す図である。
【図３】本発明の内部構成例を示すブロック図である。
【図４】ガラス窓振動波形を示す図である。
【図５】本発明の動作を示すタイムチャートである。
【図６】発光回路の要部例を示す図である。
【符号の説明】
１・・・ガラス破壊検出器
１０・・・マイコン
１１・・・圧電素子
１３Ａ，１３Ｂ・・・検波回路
１４・・・警報音出力回路
１５・・・発光回路
ＬＥＤ・・・発光ダイオード
Ｐ・・・プリズム
Ｗ１，Ｗ２・・・光透過窓
【図１】
2004199572.tif 000003
【図２】
2004199572.tif 000004
【図３】
2004199572.tif 000005
【図４】
2004199572.tif 000006
【図５】
2004199572.tif 000007
【図６】
2004199572.tif 000008